(57)【要約】【課題】  貼合わせ原稿を含む原稿の原稿影の発生を抑制する。【解決手段】  原稿の読取領域に対して下方から光を照射する第１の光源と、第１の光源から照射される光の照射方向に対して交差する方向から原稿の読取領域へ光を照射する第２の光源と、を備える読取部を備える。そして、設定されたモードに応じて、原稿の読取中に、第１の光源と第２の光源の点灯比率の変更を制御しながら、読取部による読取を実行する。【選択図】  図７
2015204567.tif 000002
【特許請求の範囲】
【請求項１】
原稿台に載置される原稿を読み取る画像読取装置であって、
前記原稿の読取領域に対して下方から光を照射する第１の光源と、前記第１の光源から照射される光の照射方向に対して交差する方向から前記原稿の読取領域へ光を照射する第２の光源と、を備える読取部と、
設定されたモードに応じて、前記原稿の読取中に、前記第１の光源と前記第２の光源の点灯比率の変更を制御しながら、前記読取部による読取を実行する制御手段と
を備えることを特徴とする画像読取装置。
【請求項２】
前記制御手段は、前記設定されたモードに応じて、前記第１の光源と前記第２の光源の点灯比率を変更する場合、その変更前後で、前記第１の光源と前記第２の光源の全体の光量が同じになるように制御する
ことを特徴とする請求項１に記載の画像読取装置。
【請求項３】
前記読取部によって読み取る主走査全域の画素の濃度を均一にするための補正を行う補正手段と、
前記第１の光源と前記第２の光源の点灯比率に応じて、前記補正手段により得られる複数の補正データを記憶する記憶手段と、
前記制御手段は、前記第１の光源と前記第２の光源の点灯比率に対応する補正データを用いて、前記読取部による読取を実行する
ことを特徴とする請求項１または２に記載の画像読取装置。
【請求項４】
前記原稿のサイズを検知する検知手段を更に備え、
前記制御手段は、前記検知手段で検知される原稿のサイズで規定される前記原稿の端部において、前記第１の光源と前記第２の光源の点灯比率の変更を制御する
ことを特徴とする請求項１乃至３のいずれか１項に記載の画像読取装置。
【請求項５】
前記原稿の任意の位置を指定する指定手段を更に備え、
前記制御手段は、前記指定手段で指定される位置に基づいて、前記第１の光源と前記第２の光源の点灯比率の変更を制御する
ことを特徴とする請求項１乃至３のいずれか１項に記載の画像読取装置。
【請求項６】
前記制御手段は、前記設定されたモードに応じて、前記読取部による読取における主走査単位で、前記第１の光源と前記第２の光源の第１の点灯比率と第２の点灯比率とを交互に切り替えて、前記読取部による読取を実行し、奇数番目走査と偶数番目走査のいずれか一方における読取画像に基づいて、主走査１ラインの画像データを生成する
ことを特徴とする請求項１乃至３のいずれか１項に記載の画像読取装置。
【請求項７】
前記制御手段は、前記奇数番目走査と前記偶数番目走査それぞれにおける読取画像の濃度レベル差が規定値を超える場合に、濃度レベルが高い方の走査における読取画像を用いて、前記主走査１ラインの画像データを生成する
ことを特徴とする請求項６の画像読取装置。
【請求項８】
前記原稿が、複数の原稿を部分的に貼合わせた貼合わせ原稿であることを示すモードを設定する設定手段を更に備える
ことを特徴とする請求項６または７に記載の画像読取装置。
【請求項９】
前記原稿が貼合わせ原稿であるか否かを判定する判定手段を更に備える
ことを特徴とする請求項８に記載の画像読取装置。
【請求項１０】
前記判定手段は、前記読取部によって読み取られる読取画像の濃度分布に基づいて、前記原稿が貼合わせ原稿であるか否かを判定する
ことを特徴とする請求項９に記載の画像読取装置。
【請求項１１】
原稿の読取領域に対して下方から光を照射する第１の光源と、前記第１の光源から照射される光の照射方向に対して交差する方向から前記原稿の読取領域へ光を照射する第２の光源と、を備える読取部によって、原稿台に載置される原稿を読み取る画像読取装置の制御方法であって、
設定されたモードに応じて、前記原稿の読取中に、前記第１の光源と前記第２の光源の点灯比率の変更を制御しながら、前記読取部による読取を実行する
ことを特徴とする画像読取装置の制御方法。
【請求項１２】
原稿の読取領域に対して下方から光を照射する第１の光源と、前記第１の光源から照射される光の照射方向に対して交差する方向から前記原稿の読取領域へ光を照射する第２の光源と、を備える読取部によって、原稿台に載置される原稿を読み取る画像読取装置の制御をコンピュータに機能させるためのプログラムであって、
前記コンピュータを、
設定されたモードに応じて、前記原稿の読取中に、前記第１の光源と前記第２の光源の点灯比率の変更を制御しながら、前記読取部による読取を実行させる
ことを特徴とするプログラム。
【発明の詳細な説明】
【技術分野】
【０００１】
本発明は、原稿台に載置される原稿を読み取る画像読取技術に関するものである。
【背景技術】
【０００２】
スキャナやコピー機で読み取る原稿の中には、２枚、或いはそれ以上の原稿を部分的に貼合わせた原稿（以下、貼合わせ原稿という）が含まれる。このような貼合わせ原稿は、貼合わせ部分に段差があるため、段差の部分が影（以下、原稿影と称する）となり、読み取った画像データに黒い線として現れてくる場合があった。この原稿影を解消するための構成として、例えば、特許文献１がある。
【０００３】
この特許文献１では、読取装置として、原稿台に密着して配設されるセンサと、原稿の読取領域に対して、斜め下方から光を照射する第１の光源と、センサを挟んで第１の光源の反対の位置に配設され、第１の光源から照射される光の方向と反対の斜め下方から、原稿の読取領域に対して光を照射する第２の光源とを備える。そして、特許文献１では、原稿が貼合わせ原稿でないときには、第１の光源が点灯し、原稿が貼合わせ原稿であるときには、第１の光源および第２の光源を点灯することで、原稿影を解消することを実現している。
【先行技術文献】
【特許文献】
【０００４】
【特許文献１】特開２００８−２８９９２号公報
【発明の概要】
【発明が解決しようとする課題】
【０００５】
しかしながら、特許文献１の構成では、原稿が貼合わせ原稿でない場合に、第１の光源のみでの点灯で原稿を読み取ると原稿端部に段差による原稿影がでてしまう。また、原稿が貼合わせ原稿の場合、原稿端部を第１の光源に加えて第２の光源で点灯を行っても張り合わせ原稿側から照射される光源によって中間調色の原稿影が発生してしまう可能性がある。
【０００６】
本発明は上記の課題を解決するためになされたものであり、貼合わせ原稿を含む原稿の原稿影の発生を抑制することができる画像読取技術を提供することを目的とする。
【課題を解決するための手段】
【０００７】
上記の目的を達成するための本発明による画像読取装置は以下の構成を備える。即ち、
原稿台に載置される原稿を読み取る画像読取装置であって、
前記原稿の読取領域に対して下方から光を照射する第１の光源と、前記第１の光源から照射される光の照射方向に対して交差する方向から前記原稿の読取領域へ光を照射する第２の光源と、を備える読取部と、
設定されたモードに応じて、前記原稿の読取中に、前記第１の光源と前記第２の光源の点灯比率の変更を制御しながら、前記読取部による読取を実行する制御手段と
を備える。
【発明の効果】
【０００８】
本発明によれば、貼合わせ原稿を含む原稿の原稿影の発生を抑制することができる。
【図面の簡単な説明】
【０００９】
【図１】画像読取装置の構成例を示す図である。
【図２】ＣＩＳの構成例を示す図である。
【図３】回路構成例を示す図である。
【図４】光量調整にて水平同期信号の水平期間内にＬＥＤ点灯期間を調整している例を示す図である。
【図５】主灯と補助灯の点灯比率が変化したときの光量分布特性を示す図である。
【図６】主灯と補助灯の点灯方法によって生じる形成画像の様子を模式的に示す図である。
【図７】実施形態１の画像読取装置の動作を示すフローチャートである。
【図８】光源の点灯方法によって原稿の端部に影が生じる様子を模式的に示す図である。
【図９】光源の点灯方法によって貼合わせ原稿の端部に影が生じる様子を模式的に示す図である。
【図１０】実施形態２の画像読取装置の動作を示すフローチャートである。
【図１１】実施形態３の画像読取装置の動作を示すフローチャートである。
【発明を実施するための形態】
【００１０】
以下、本発明の実施の形態について図面を用いて詳細に説明する。
【００１１】
図１は画像読取装置１の構成例を示す図である。
【００１２】
原稿３（貼合わせ原稿含む）を載置する原稿台４、ＡＤＦ２に取り付けられた白色の圧板５によって原稿３が押さえられる。原稿台４に密着するように、密着型光学系を有する読取部である密着型イメージセンサ（ＣＩＳ）６が設けられている。
【００１３】
ＣＩＳ６は、シャフト７の上に配置されたＣＩＳ台８に配置される。モータ９が回転すると、タイミングベルト１０に駆動が伝達され、ＣＩＳ６を副走査方向へ移動させながら原稿３を読み取るよう構成される。
【００１４】
尚、本実施形態において、主走査とは、ＡＤＦ２によって原稿が搬送される搬送方向に垂直な方向の走査であり、これに対して、原稿の副走査とは、原稿の搬送方向の走査である。そして、原稿の主走査幅は、通常、原稿の横幅（短手方向の幅）に対応し、原稿の副走査幅は、原稿の縦幅（長手方向の幅）に対応する。
【００１５】
原稿台４の先端部には、原稿位置決め用の原稿突き当て板１１が設けられており、その下部には、白色基準板１２が設けられている。白色基準板１２は、主走査方向に対するセンサ感度や光源の光量の感度不均一を補正する（シェーディング補正）ための基準板として用いられる。原稿サイズ検知センサ１３は、発光部と受光部を具備した反射型センサであり、原稿台４に裁置された原稿３の長さ方向に原稿３があるか否か、また、そのサイズを検知する。
【００１６】
図２はＣＩＳ６の構成例を示す図である。
【００１７】
ＣＩＳ６は、発光部として第１の光源（主灯）１４と第２の光源（補助灯）１５の２本の光源を備え、主灯１４とレンズアレイ１６を挟んだ反対側に補助灯１５が配置される。主灯１４には、主走査方向に延びる導光体の一端と、補助灯１５には、他方の主走査方向に延びる導光体の他端に、赤、緑、青の３つのＬＥＤがそれぞれ具備されている。
【００１８】
ＬＥＤから照射された光は、導光体で偏向され、原稿３に向かって一様に照射される。赤、緑、青の３つのＬＥＤを順次切換えながらＣＩＳ６を副走査方向に移動させることで、カラー原稿に対してＲ、Ｇ、Ｂの画像データを出力することができる。
【００１９】
また、ＣＩＳ６は、受光部として、レンズアレイ１６、光電変換素子１７を備える。レンズアレイ１６は、筒状の自己収束レンズ素子が主走査方向に複数配列されて構成される。原稿３からの反射光は、原稿台４を介してレンズアレイ１６に入射され、集光されて光電変換素子１７に結像される。
【００２０】
このように、読取部であるＣＩＳ６は、原稿の読取領域に対して、斜め下方から光を照射する第１の光源と、受光部であるレンズアレイを挟んで第１の光源の反対の位置に配設され、第１の光源から照射される光の方向と反対の斜め下方から、原稿の読取領域に対して光を照射する第２の光源とを備える。
【００２１】
図３は画像読取装置１の回路構成例を示す図である。
【００２２】
画像読取装置１は、画像処理部２０、及び制御部２５を備える。
操作パネル１８は、液晶表示器やタッチパネル、或いは各種のスイッチを備えて構成される。また、操作パネル１８では、後述するフローチャートを実行する処理等を含む各種処理を実行するための操作画面等のユーザインタフェースを提供する。そして、ユーザが操作パネル１８を操作することで得られる入力情報に基づいて、制御部２５が動作する。読取が開始されると、ＣＩＳ６からの画像データをＡ／Ｄ変換器１９にてアナログ信号からデジタル信号に変換し、画像処理部２０に送信される。
【００２３】
画像処理部２０は、シェーディング補正部２１によるシェーディング補正（主走査全域の画素の濃度を均一にする補正）、濃度階調補正処理等の各種画像処理を実行する。画像処理部２０のシェーディング補正部２１には、シェーディング補正データ記憶用のラインメモリ２１ａが備えられており、シェーディング補正を実行すると、複数のシェーディング補正データを保持し、光源の点灯方法の変更に応じて複数あるシェーディング補正データを切り替えて使用することができる。シェーディング補正で補正された画像データは、各種画像処理が施された上で、画像メモリ２２に記憶される。
【００２４】
画像判定部２３は、画像メモリ２２に記憶された画像を参照して原稿影が有るか否かを判定する。これにより、画像判定部２３は、その検出される原稿影に応じて、原稿が貼合わせ原稿であるか否かを判定することができる。
【００２５】
画像処理が施された画像データは、画像形成部２４に入力される。画像形成部２４は、電子写真プロセス等の画像形成方式によって、例えば、感光ドラム（不図示）上に画像データを露光、現像し、トナー画像を形成する。その後、そのトナー像は、記録媒体に転写されることで、記録媒体上に画像が形成（印刷）される。
【００２６】
制御部２５は、ＲＯＭ２６、ＣＰＵ２７、ＥＥＰＲＯＭ２８を備える。ＲＯＭ２６は、各種動作を制御する制御プログラムを記憶する。ＣＰＵ２７には、ＣＩＳ６、モータ９、原稿サイズ検知センサ１３、操作パネル１８が接続され、ＲＯＭ２６に制御プログラムに基づき、それぞれ制御される。ＥＥＰＲＯＭ２８は、不揮発性メモリであり、光量調整等の調整値を記憶する。
【００２７】
ＬＥＤ駆動部２９は、ＣＩＳ６の６つのＬＥＤ３０（Ｒ１、Ｒ２、Ｇ１、Ｇ２、Ｂ１、及びＢ２）に接続され、それぞれに定電流回路３１とスイッチ３２を接続し、スイッチ３２に接続されるＣＰＵ２７からの６本のＬＥＤオン信号に従って、点灯時間を制御し、ＬＥＤ３０の最適光量を調整する。
【００２８】
ＬＥＤ３０の光量調整は、主灯１４と補助灯１５を個々に点灯させて白色基準板１２を読み取り、画像メモリ２２に保存される主走査ライン全域の画像データを参照して調整される。画像メモリ２２に保存された主走査ライン全域の画像データの最大諧調濃度がＲＯＭ２６から指定される所定の目標とする諧調濃度値になるように点灯時間を所定の割合で減算し、個々のＬＥＤ３０の点灯時間が調整される。
【００２９】
図４は光量調整にて水平同期信号の水平期間内にＬＥＤ点灯期間を調整している例を示す図である。
【００３０】
この例では、調整開始時、ＬＥＤオン信号をオンした時の光量出力レベルは、Ａ／Ｄ変換器１９にて、目標とする諧調濃度値より高くなるように設定される。ＬＥＤオン信号を、例えば、垂直同期信号の１６クロック分ずつ短くして目標とする諧調濃度値より下回るまで光量調整が行われる。目標とする諧調濃度値より下回ったときのＬＥＤオン時間が光量調整値として、ＥＥＰＲＯＭ２８に記憶される。
【００３１】
光量調整の目標とする諧調濃度値は、主灯１４と補助灯１５それぞれ割合が異なるように設定される。例えば、主灯１４と補助灯１５が点灯したときの目標とする諧調濃度値の割合が７０％と３０％や２０％と８０％になるように設定できるようにしている。また、１００％と０％と片方を消灯させても良い。
【００３２】
図５は主灯１４と補助灯１５の点灯比率が変化したときの光量分布特性を示す図である。
【００３３】
目標とする諧調濃度について、主灯１４の光量分布が実線で示され、補助灯１５の光量分布が点線で示されている。全体の光量分布としては、一点鎖線で示されるように主灯１４と補助灯１５の加算した光量分布となっている。
【００３４】
ここでは、主灯１４と補助灯１５を合わせた全体の光量は、最大諧調濃度値が２５５となるダイナミックレンジとしている。そして、全体の光量が、最大諧調濃度値２５５を下回るように、主灯１４と補助灯１５の点灯割合（光量割合）を保ちつつ、主灯１４と補助灯１５の点灯比率を変えたときでも諧調濃度値が同じになるように、ＬＥＤ３０それぞれの点灯時間が調整される。つまり、制御部２５は、主灯１４と補助灯１５の点灯比率の変更前後で、両者の全体の光量が同じになるように、主灯１４と補助灯１５の点を制御する。
【００３５】
図６は主灯１４と補助灯１５の点灯方法によって生じる形成画像（読取画像）の様子を模式的に示す図である。
【００３６】
図６（ａ）は、貼合わせ原稿に対して、主灯１４と補助灯１５の光量の割合を同じにして点灯させた様子を示している。この場合、原稿の端部のエッジに薄く影が生じる。
【００３７】
図６（ｂ）は、貼合わせ原稿に対して、主灯１４の光量を強く、補助灯１５の光量を弱く点灯させた様子を示している。この場合、貼合わせ原稿に対して、主灯１４の光量が強く、補助灯１５の光量が弱く照射されることによって、原稿の先端部に原稿影は発生しないが、他方の後端部には端部のエッジにより黒く太い影が生じる。これは、最初に走査される貼合わせ原稿の後端部ともう一方の貼合わせ原稿の先端部で、影の発生が異なり、影を消すことができないからである。
【００３８】
図６（ｃ）は、貼合わせ原稿に対して、主灯１４の光量を弱く、補助灯１５の光量を強く点灯させた様子を示している。原稿の影が生じる部分に対して、主灯１４又は補助灯１５の光量を強くすることによって影が生じなくなる。この場合、貼合わせ原稿に対して、主灯１４の光量が弱く、補助灯１５の光量が強く照射されることによって、原稿の先端部には、端部のエッジにより黒く太い影が生じ、他方の後端部には原稿影は発生しない。
【００３９】
このように主灯１４と補助灯１５の点灯方法をかえることによって、原稿影が生じない、きれいな画像を形成することができる。
【００４０】
＜実施形態１＞
図７は実施形態１の画像読取装置の動作を示すフローチャートである。
【００４１】
はじめに、原稿３がセットされ、ＡＤＦ２が閉じ始められたことが検知されると、原稿サイズ検知センサ１３によって主走査方向の紙幅と副走査方向の紙長を検知し、定形用紙サイズのスキャン長が決定されることで原稿終端位置が判別できるようになる。そして、実施形態１では、原稿サイズ検知センサ１３が検知する原稿サイズ情報に基づいて、主灯１４と補助灯１５の点灯比率を制御する。特に、実施形態１では、原稿サイズ情報で規定される原稿の端部（原稿終端位置）での主灯１４と補助灯１５の点灯比率を制御する。
【００４２】
貼合わせ原稿等の原稿３の原稿影を消したい場合、ユーザが操作パネル１８から読取モードとして「原稿影除去モード」を選択して、原稿影を消したい任意の位置（原稿影除去位置）を入力することになる。
【００４３】
そこで、制御部２５は、操作パネル１８の操作を監視して、「原稿影除去モード」が選択されたか否かを判定する（ステップＳ１０１）。「原稿影除去モード」が選択された場合（ステップＳ１０１でＹＥＳ）、制御部２５は、操作パネル１８からの操作に基づいて、原稿影除去位置を入力する（ステップＳ１０２）。ここで、読取モードが「原稿影除去モード」であることを示す情報と原稿影除去位置を示す情報とが読取条件として、例えば、ＥＥＰＲＯＭ２８に記憶される。
【００４４】
一方、「原稿影除去モード」が選択されない場合（ステップＳ１０１でＮＯ）、制御部２５は、操作パネル１８上のスタートキーの押下を検知すると、読取動作に移行する（ステップＳ１０３）。
【００４５】
ここで、ＣＩＳ６は、白色基準板１２の下で待機している。そこで、制御部２５は、その状態を保持したまま、主灯１４と補助灯１５が所定の比率で『主灯＜補助灯』の関係になるように光量調整された光量調整値で、主灯１４と補助灯１５とを点灯する（ステップＳ１０４）。
【００４６】
制御部２５は、ＣＩＳ６を後退方向に移動させながら白色基準板１２を読み取り、シェーディング補正部２１によって第１のシェーディング補正を実行する。この第１のシェーディング補正によって得られるシェーディング補正データを、点灯比率『主灯＜補助灯』用の第１のシェーディング補正データとして、ラインメモリ２１ａに記憶する（ステップＳ１０５）。
【００４７】
続いて、制御部２５は、主灯１４と補助灯１５が所定の比率で『主灯＞補助灯』の関係になるように光量調整された光量調整値で、主灯１４と補助灯１５とを点灯する（ステップＳ１０６）。
【００４８】
制御部２５は、ＣＩＳ６を移動させながら白色基準板１２を読み取り、シェーディング補正部２１によって第２のシェーディング補正を実行する。この第２のシェーディング補正によって得られるシェーディング補正データを、点灯比率『主灯＞補助灯』用の第２のシェーディング補正データとして、ラインメモリ２１ａに記憶する（ステップＳ１０７）。
【００４９】
制御部２５は、点灯比率『主灯＞補助灯』の関係のままの点灯で前進方向にＣＩＳ６の移動を切り替え、第２のシェーディング補正データを用いて原稿３の画像を読み取る（ステップＳ１０８）。
【００５０】
ここで、制御部２５は、読取モードとして、「原稿影除去モード」が選択されているか否かを判定する（ステップＳ１０９）。「原稿影除去モード」が選択されていない場合（ステップＳ１０９でＮＯ）、制御部２５は、ＣＩＳ６が原稿終端位置に接近したか否かを判定する（ステップＳ１１０）。ＣＩＳ６が原稿終端位置に接近していない場合（ステップＳ１１０でＮＯ）、ＣＩＳ６が原稿終端位置に接近するまで待機する。一方、ＣＩＳ６が原稿終端位置に接近した場合（ステップＳ１１０でＹＥＳ）、制御部２５は、原稿終端位置の所定のライン数手前から点灯比率を『主灯＞補助灯』に切り替える（ステップＳ１１１）。そして、制御部２５は、点灯比率『主灯＞補助灯』用の第１のシェーディング補正データを用いて原稿３の画像を読み取る（ステップＳ１１２）。
【００５１】
一方、「原稿影除去モード」が選択されている場合（ステップＳ１０９でＹＥＳ）、制御部２５は、ＣＩＳ６が原稿影除去指定位置に接近したか否かを判定する（ステップＳ１１３）。ＣＩＳ６が原稿影除去指定位置に接近していない場合（ステップＳ１１３でＮＯ）、ＣＩＳ６が原稿影除去指定位置に接近するまで待機する。一方、ＣＩＳ６が原稿影除去指定位置に接近した場合（ステップＳ１１３でＹＥＳ）、制御部２５は、原稿影除去指定位置の所定のライン数手前から点灯比率を『主灯＞補助灯』に切り替る（ステップＳ１１１）。そして、制御部２５は、点灯比率『主灯＞補助灯』用の第１のシェーディング補正データを用いて原稿３の画像を読み取る（ステップＳ１１２）。
【００５２】
以上説明したように、実施形態１によれば、原稿の読取中において、原稿の端部や貼合わせ原稿の端部周辺で、主灯１４と補助灯１５の点灯比率の変更（切替）を制御することによって、原稿影が発生しない良好な読取画像を得ることができる。
【００５３】
＜実施形態２＞
貼合わせ原稿の中には、複数枚（２枚、或いはそれ以上）の原稿を部分的に貼合わせた原稿が含まれる。このような貼合わせ原稿において、貼合わせ部分の最初の段差と後ろの段差が重なる場合、光源の点灯比率を変更しただけでは、原稿影が消せない場合がある。
【００５４】
図８は光源の点灯方法によって原稿端部に影が生じる様子を模式的に示す図である。
【００５５】
図８（ａ）は、主灯１４の光量を強く、補助灯１５の光量を弱く点灯させた様子を示している。貼合わせ原稿の後端部には、原稿影の発生が無く、一方の貼合わせ原稿の先端部には原稿影が生じている。
【００５６】
図８（ｂ）は、主灯１４の光量を弱く、補助灯１５の光量を強く点灯させた様子を示している。貼合わせ原稿の先端部には、黒く太い影が生じ、一方の貼合わせ原稿の先端部には原稿影は発生しない。
【００５７】
貼合わせ部分の最初の段差と後ろの段差が重なる場合、光源の点灯方法を変更しただけでは原稿影が消せない場合がある。
【００５８】
このような複数枚の原稿を部分的に貼合わせた貼合わせ原稿に対し、実施形態２では、読取モードとして、貼合わせ原稿モードを設け、ユーザは、必要に応じて、操作パネル１８から選択することができる。この貼合わせ原稿モードは、主灯１４と補助灯１５の点灯比率として『主灯＞補助灯』と『主灯＜補助灯』とを交互に点灯を切り替えて原稿を読み取るモードである。
【００５９】
そして、貼合わせ原稿モードでは、読取対象の主走査ライン全域の画素について、点灯比率『主灯＞補助灯』のときと点灯比率『主灯＜補助灯』のときの読取画素の濃度諧調値を画像判定部２３で比較する。そして、その比較の結果に基づいて、読取画素が原稿影であるか否かを判定し、原稿影と判定された画素に対して濃度補正を実行する。
【００６０】
図９は光源の点灯方法によって貼合わせ原稿の端部に影が生じる様子を模式的に示す図である。ここでも、目標とする諧調濃度について、主灯１４の光量分布が実線で示され、補助灯１５の光量分布が点線で示されている。
【００６１】
図９（ａ）は、貼合わせ原稿の中腹部を点灯比率『主灯＞補助灯』と点灯比率『主灯＜補助灯』で読み取ったときの主走査ライン全域のプロファイルを示している。
【００６２】
図９（ｂ）は、点灯比率『主灯＞補助灯』と点灯比率『主灯＜補助灯』で読み取ったときの主走査ライン全域のプロファイルの諧調濃度差を示している。
【００６３】
ここでは、一点鎖線で示す所定の規定値（影検出規定値）を設けており、点灯比率『主灯＜補助灯』の時の画素の諧調濃度値は所定の規定値未満のため、点灯比率『主灯＞補助灯』の時の画素が取り込まれる。
【００６４】
図９（ｃ）は、貼合わせ原稿のエッジ端部を点灯比率『主灯＞補助灯』と点灯比率『主灯＜補助灯』で読み取ったときの主走査ライン全域のプロファイルを示している。
【００６５】
図９（ｄ）は、図９（ｃ）の点灯比率『主灯＞補助灯』と点灯比率『主灯＜補助灯』で読み取ったときの主走査ライン全域のプロファイル（濃度分布）の諧調濃度差を示している。
【００６６】
この場合、貼合わせ原稿の端部の段差によって原稿影となった画素の諧調濃度値が所定の規定値（影検出規定値）を超えるため、原稿影が生じたと判定することができる。所定の規定値を超えた画素に対して、点灯比率『主灯＜補助灯』で読み取った画素の諧調濃度に補正することで、原稿影がなくなり、良好な画像を形成することができる。
【００６７】
図１０は実施形態２の画像読取装置の動作を示すフローチャートである。
【００６８】
実施形態２では、ユーザが貼合わせ原稿を使用するか否かに基づいて、操作パネル１８を操作して「貼合わせ原稿モード」を設定することができる。
【００６９】
そこで、制御部２５は、操作パネル１８の操作を監視して、「貼合わせ原稿モード」が選択された否かを判定する（ステップＳ２０１）。「貼合わせ原稿モード」が選択された場合（ステップＳ２０１でＹＥＳ）、制御部２５は、読取モードを「貼合わせ原稿モード」に選択し、読取モードが「貼合わせ原稿モード」であることを示す情報を読取条件として、例えば、ＥＥＰＲＯＭ２８に記憶する（ステップＳ２０２）。
【００７０】
一方、「貼合わせ原稿モード」が選択されない場合（ステップＳ２０１でＮＯ）、制御部２５は、操作パネル１８上のスタートキーの押下を検知すると、読取動作に移行する（ステップＳ２０３）。
【００７１】
制御部２５は、主灯１４と補助灯１５が所定の比率で『主灯＜補助灯』の関係になるように光量調整された光量調整値で、主灯１４と補助灯１５を点灯する（ステップＳ２０４）。
【００７２】
制御部２５は、ＣＩＳ６を後退方向に移動させながら白色基準板１２を読み取り、シェーディング補正部２１によって第１のシェーディング補正を実行する。この第１のシェーディング補正によって得られるシェーディング補正データを、点灯比率『主灯＜補助灯』用の第１のシェーディング補正データとして、ラインメモリ２１ａに記憶する（ステップＳ２０５）。
【００７３】
続いて、制御部２５は、主灯１４と補助灯１５が所定の比率で『主灯＞補助灯』の関係になるように光量調整された光量調整値で、主灯１４と補助灯１５を点灯する（ステップＳ２０６）。
【００７４】
制御部２５は、ＣＩＳ６を移動させながら白色基準板１２を読み取り、シェーディング補正部２１によって第２のシェーディング補正を実行する。この第２のシェーディング補正によって得られるシェーディング補正データを、点灯比率『主灯＞補助灯』用の第２のシェーディング補正データとして、ラインメモリ２１ａに記憶する（ステップＳ２０７）。
【００７５】
ここで、制御部２５は、読取モードとして、「貼合わせ原稿モード」が選択されているか否かを判定する（ステップＳ２０８）。「貼合わせ原稿モード」が選択されていない場合（ステップＳ２０８でＮＯ）、制御部２５は、点灯比率『主灯＞補助灯』で点灯しているので、第２のシェーディング補正データを用いて原稿３の画像を読み取る（ステップＳ２０９）。
【００７６】
制御部２５は、ＣＩＳ６が原稿終端位置に接近したか否かを判定する（ステップＳ２１０）。ＣＩＳ６が原稿終端位置に接近していない場合（ステップＳ２１０でＮＯ）、ＣＩＳ６が原稿終端位置に接近するまで待機する。一方、ＣＩＳ６が原稿終端位置に接近した場合（ステップＳ２１０でＹＥＳ）、制御部２５は、原稿終端位置の所定のライン数手前から点灯比率を『主灯＞補助灯』に切り替える（ステップＳ２１１）。そして、制御部２５は、点灯比率『主灯＞補助灯』用の第１のシェーディング補正データを用いて原稿３の画像を読み取る（ステップＳ２１２）。
【００７７】
一方、「貼合わせ原稿モード」が選択されている場合（ステップＳ２０８でＹＥＳ）、制御部２５は、モータ９の回転を反転させＣＩＳ６を前進方向に切り替えて、読取速度を（ここでは、半分の速度まで）減速する。これは、モータ９の速度を遅くすることにより、副走査方向の読取ライン数を増やすようにするためである。
【００７８】
制御部２５は、主灯１４と補助灯１５の点灯比率『主灯＞補助灯』のままの点灯を継続する（ステップＳ２１４）。制御部２５は、ＣＩＳ６により最初の読取ライン（奇数ライン）の画像を読み取り、第２のシェーディング補正データを用いて補正した上で、その補正した画像を画像メモリ２２に記憶する（ステップＳ２１５）。
【００７９】
制御部２５は、主灯１４と補助灯１５の点灯比率『主灯＜補助灯』に点灯を切り替える（ステップＳ２１６）。制御部２５は、次の読取ライン（偶数ライン）の画像を読み取り、第１のシェーディング補正データを用いて補正した上で、その補正した画像を画像メモリ２２に記憶する（ステップＳ２１７）。
【００８０】
制御部２５は、画像判定部２３で奇数ライン（奇数番目走査）と偶数ライン（偶数番目走査）の画像データを画素単位で比較し、画像の諧調濃度レベル差が原稿影検出として設けた所定の規定値以下であるか否かを判定する（ステップＳ２１８）。所定の規定値以下である場合（ステップＳ２１８でＹＥＳ）、ステップＳ２２０へ移行する。一方、所定の規定値を超える場合（ステップＳ２１８でＮＯ）、制御部２５は、奇数データの画素を偶数データの画素と同じ濃度諧調値に補正し、それを読取画像として画像メモリ２２に記憶する（ステップＳ２１９）。これにより、原稿の端部でエッジが生じた影の部分が、影の無い画像に補正される。
【００８１】
制御部２５は、ＣＩＳ６が原稿終端位置に到達したか否かを判定する（ステップＳ２２０）。ＣＩＳ６が原稿終端位置に到達していない場合（ステップＳ２２０でＮＯ）、制御部２５は、以上のステップＳ２１４〜ステップＳ２１９の処理を、ＣＩＳ６が原稿終端位置に到達するまで繰り返し、ＣＩＳ６が原稿終端位置に到達する場合（ステップＳ２２０でＹＥＳ）、処理を終了する。
【００８２】
以上の処理により、貼合わせ原稿に対しても貼合わせ部に原稿影が発生しない正常な画像を形成することができる。
【００８３】
以上説明したように、実施形態２によれば、ライン単位（主走査単位）で、主灯と補助灯の点灯比率の大小を交互に切り替えながら画像の読取を実行し、得られる奇数ラインと偶数ラインとの間の濃度諧調値差がなくなるように、読取画像を補正する。つまり、得られる奇数ラインと偶数ラインとの間の濃度諧調値差がなくなるように、いずれか一方のラインの画像を用いて、主走査１ラインの画像データを生成する。これにより、複数の貼合わせ部を有する貼合わせ原稿においても、原稿影の発生を防止した読取画像を得ることができる。
【００８４】
＜実施形態３＞
実施形態２は、貼合わせ原稿であるか否かに基づいて、ユーザが操作パネル１８から「貼合わせ原稿モード」に設定する構成である。これに対して、実施形態３では、読取対象の原稿が貼合わせ原稿であるか否かの判定を画像読取装置が行い、その判定結果に応じて自動的に「貼合わせ原稿モード」を設定する構成について説明する。
【００８５】
図１１は実施形態３の画像読取装置の動作を示すフローチャートである。
【００８６】
制御部２５は、操作パネル１８上のスタートキーの押下を検知すると、読取動作に移行する（ステップＳ３０１）。制御部２５は、スタートキーの押下によって、プレスキャ（予備読取）を開始する（ステップＳ３０２）。
【００８７】
制御部２５は、プレスキャンによって得られた画像データに基づいて、プレスキャンで読み取った原稿が貼合わせ原稿であるか否かを判定する（ステップＳ３０３）。この判定は、例えば、画像処理部２０に設けられる画像判定部２３によって行う。具体的には、画像判定部２３は、図９（ｄ）のように、諧調濃度差を参照して、規定値を超えたか否かを判定して、規定値を超える場合に、読取画像に原稿影がある貼合わせ原稿と判定する。つまり、原稿が貼合わせ原稿の場合に生じる貼合わせ境界の陰影の有無を判定する。
制御部２５は、読み取った原稿が貼合わせ原稿であるか否かを判定する（ステップＳ３０３）。
【００８８】
判定の結果、原稿が貼合わせ原稿である場合（ステップＳ３０３でＹＥＳ）、制御部２５は、読取モードとして、「貼合わせ原稿モード」を選択する（ステップＳ３０４）。その後、図８のステップＳ２０４へ移行する。一方、原稿が貼合わせ原稿でない場合（ステップＳ２０４でＹＥＳ）、制御部２５は、読取モードとして、「通常モード」を選択して、図８のステップＳ２０４へ移行する。
【００８９】
以上説明したように、実施形態３によれば、実施形態２で説明した効果に加えて、プレスキャンを行うことにより、読取に時間がかかるものの、ユーザによる原稿の状態の目視判断の手間、および「貼合わせ原稿モード」の手動設定の手間を省略することができる。
【００９０】
尚、上記実施形態では、原稿台４に栽置した原稿３を読み取る場合を例に挙げて説明しているが、これに限定されるものではない。例えば、ＡＤＦ２を用いた原稿読取装置との組み合わせでもよい。
【００９１】
また、本発明は、以下の処理を実行することによっても実現される。即ち、上述した実施形態の機能を実現するソフトウェア（プログラム）を、ネットワーク又は各種記憶媒体を介してシステムまたは装置に供給し、そのシステムまたは装置のコンピュータ（またはＣＰＵやＭＰＵ等）がプログラムを読み出して実行する処理である。
【図１】
2015204567.tif 000003
【図２】
2015204567.tif 000004
【図３】
2015204567.tif 000005
【図４】
2015204567.tif 000006
【図５】
2015204567.tif 000007
【図７】
2015204567.tif 000008
【図９】
2015204567.tif 000009
【図１０】
2015204567.tif 000010
【図１１】
2015204567.tif 000011
【図６】
2015204567.tif 000012
【図８】
2015204567.tif 000013